(57)【要約】【課題】下部建物の上面に吊り構造部による大空間を有し、なおかつ、建物上層階に、柱や壁が小型化され、長スパン化された柱梁架構を備えた複合吊り構造物及びその構築方法を提供する。【解決手段】下部構造部２と上部吊り構造部３が連結された複合吊り構造物１であって、前記下部構造部２の上部に、前記上部吊り構造部３が構築されていることを特徴とする複合吊り構造物１を提供する。【選択図】図１
2018123468.tif 000002
【特許請求の範囲】
【請求項１】
下部構造部と上部吊り構造部が連結された複合吊り構造物であって、
前記下部構造部の上部に、前記上部吊り構造部が構築されていることを特徴とする複合吊り構造物。
【請求項２】
前記下部構造部の上部に設けられた免震装置の上に、前記上部吊り構造部が構築されている、請求項１に記載の複合吊り構造物。
【請求項３】
下部構造部と上部吊り構造部が連結された複合吊り構造物の構築方法であって、
前記下部構造部を構築した後、当該下部構造部の上部に、吊り部材により床スラブが支持された前記上部吊り構造部をジャッキダウンさせて、連結することを特徴とする複合吊り構造物の構築方法。
【請求項４】
前記上部吊り構造部は、ベント架台で当該上部吊り構造部の下端部を仮受けした状態で、柱梁架構内および／または床スラブ面に仮設ブレースを設置しながら構築することを特徴とする請求項３に記載の複合吊り構造物の構築方法。
【発明の詳細な説明】
【技術分野】
【０００１】
本発明は、下部建物の上部に吊り構造部が構築された複合吊り構造物及びその構築方法に関する。
【背景技術】
【０００２】
従来より、柱間の間隔を長スパンとした大空間を備える構造物が、広く施工されている。このような構造物の施工に際し、吊り構造が採用される場合がある。
吊り構造では、一対の巨大な柱部材、または強固な柱部材間に架設された巨大な梁より吊り部材が吊り下げられ、その吊り部材に接合された主な構造部分（床スラブ、柱、梁）によって吊り下げ構造体が形成される。よって、一対の巨大な柱部材を支点として吊り部材が架け渡され、吊り下げ構造体が吊り下げ方式で支持された吊り構造では、全ての柱や床スラブを下方側の建物躯体に支持させる必要がなく、吊り部材で一部の柱や床スラブが支持されるために、少ない柱数で大空間を実現することが可能である。
上記のような吊り構造に関しては、様々な構造や、施工方法が提案されている。
【０００３】
特許文献１には、図１０に示されるような、サスペンションを主構造とする重層式吊り構造１００が開示されている。重層式吊り構造１００は、以下のような手順で構築される。まず、構築しようとする建築物１０１の両端位置に一対のコア柱１０２を立設する。コア柱１０２の上端部間に組立て大梁１０３を架設すると共に、コア柱１０２の上部間にサスペンション材１０４を架設する。サスペンション材１０４の両端部をそれぞれのコア柱１０２に取付け、全体として下方に湾曲した形状とする。サスペンション材１０４に柱材１０５を吊り下げる。柱材１０５の下端を地盤１０６から所定高さ位置で終端とし、地上部分に所定高さの無柱大空間１０７を形成する。
特許文献２には、図１１に示されるような、重層式吊り構造の構築方法が開示されている。本構築方法においては、まず、人工地盤１１０の上方でサスペンション材架構部１１１をコア柱１１２間に架設する。組立完了したサスペンション材架構部１１１を上昇し、その下側に全階高を複数の節に分解した１節分（２階分）の高さ以上のスペース１１３を設ける。スペース１１３で第１骨組１１４を仮受構台１１５の上方に組立てる。第１骨組１１４を組立て完了した後、サスペンション材架構部１１１を下降して第１骨組１１４と結合する。更に、上記の工程を繰り返しつつ、第２，第３骨組１１６、１１７を上層階から下層階に向かって組立てる。
特許文献３には、図１２に示されるような、建物の施工方法が開示されている。本施工方法においては、頂部構造体１２０を地組し、コアシャフト１２１を順次立ち上げ、頂部構造体１２０をコアシャフト１２１に仮支持せしめ、かつそれより反力をとって順次迫り上げていき、頂部構造体１２０をコアシャフト１２１の頂部に設置した後、その下方において建物本体部１２２を順次地組して吊り上げて設置する。頂部構造体１２０をコアシャフト１２１に対して球座等の揺動支持装置１２３を介して揺動可能に支持した形態の建物に適用する場合、頂部構造体１２０をコアシャフト１２１の頂部に仮支持した状態で建物本体部１２２を吊り上げ、建物本体部１２２の全階層を吊り支持した後に、頂部構造体１２０をコアシャフト１２１の頂部に設けた揺動支持装置１２３に対して全方向に揺動可能に支持せしめる。
【０００４】
ところで、建物の中間階に、大規模な音楽ホールや球技居室等を確保する場合には、出来るだけ下方側の建物躯体構造に支配されることなく、少ない柱本数で支持された大規模空間を設ける必要がある。
例えば、建物の中間階に、柱と梁を剛接合するラーメン構造により大規模空間を設ける場合は、柱間を長スパン化するために柱部材や梁部材が太径となることが多く、使い勝手の良い大空間を確保することが困難であった。一方、吊り構造により地上１階から建物の中間階まで大規模空間を設ける場合は、巨大な柱部材より吊り部材を吊り下げ、その吊り部材と接合された床スラブや柱、梁により大規模空間を確保することができる。しかしながら、地上１階から建物中間階までが吊り構造建物の場合、吊り部材で吊り下げ支持する建物階数が多く、高重量となることで、吊り部材と床スラブ等との接合構造、及び吊り部材と柱部材の定着構造が複雑化し、太径となるために、工期が長期化し、建設費用が高額となる傾向であった。
【先行技術文献】
【特許文献】
【０００５】
【特許文献１】特開平８−４１９９１号公報
【特許文献２】特開平７−３３１８８２号公報
【特許文献３】特開２００１−３２５２４号公報
【発明の概要】
【発明が解決しようとする課題】
【０００６】
本発明が解決しようとする課題は、下部建物の上面に吊り構造部による大空間を有し、なおかつ、建物上層階に、柱や壁が小型化され、長スパン化された柱梁架構を備えた複合吊り構造物及びその構築方法を提供することである。
【課題を解決するための手段】
【０００７】
本発明は、上記課題を解決するため、以下の手段を採用する。すなわち、本発明は、下部構造部と上部吊り構造部が連結された複合吊り構造物であって、前記下部構造部の上部に、前記上部吊り構造部が構築されていることを特徴とする複合吊り構造物を提供する。
上記のような構成によれば、複合吊り構造物は、下部構造部の上部に、吊り構造による上部吊り構造部が設けられることで、建物下層階の躯体構造に影響を受けることなく、建物上層階に、大空間居室が実現できる。また、建物上層階を、上部吊り構造部とすることで、建物上層階の柱や梁が建物下層階の躯体構造上に連結されるのではなく、上部吊り構造部を構成する吊り部材によって吊り下げ支持されるために、上部吊り構造部を構成する柱や梁、壁に作用する地震荷重が小さくなることで、其々の部材を小型化でき、柱梁架構の長スパン化が可能となる。
また、上部吊り構造部に設けられた吊り部材で吊り下げ支持される建物階数は、上部吊り構造部の最下層階から最上階までであり、地上１階から上部吊り構造部の最上階まで吊り部材で吊り上げ支持する場合に比べて、吊り部材で吊り下げ支持する建物重量は小さいために、吊り部材を定着される柱部材を小径化できる。
上記のように、下部建物（下部構造部）の上部に上部吊り構造部を設ける複合吊り構造物では、吊り部材で吊り下げ支持する階数が建物中間階以上に限定されるために、柱や壁が小型化され、かつ長スパン化された柱梁架構を備えた複合吊り構造物が実現できる。
【０００８】
本発明の一態様においては、前記下部構造部の上部に設けられた免震装置の上に、前記上部吊り構造部が構築されている。
上記のような構成によれば、上部吊り構造部に作用する地震力が抑制されることで、上部吊り構造部を形成する柱や梁、壁等を小型化できる。
【０００９】
また、本発明は、下部構造部と上部吊り構造部が連結された複合吊り構造物の構築方法であって、前記下部構造部を構築した後、当該下部構造部の上部に、吊り部材により床スラブが支持された前記上部吊り構造部をジャッキダウンさせて、連結することを特徴とする複合吊り構造物の構築方法を提供する。
上記のような構築方法によれば、下部構造部の上側に、一旦、全ての上部吊り構造部を構築した後、当該上部吊り構造部をジャッキダウンさせて、下部構造部の上部に、吊り部材で吊り下げ支持された床スラブ、柱、梁による上部吊り構造部を精度良く設置することにより、下部構造部と上部吊り構造部が連結された複合吊り構造物を構築できる。
【００１０】
本発明の一態様においては、前記上部吊り構造部は、ベント架台で当該上部吊り構造部の下端部を仮受けした状態で、柱梁架構内および／または床スラブ面に仮設ブレースを設置しながら構築することを特徴とする。
ベント架台で仮受けされた構築途中段階の上部吊り構造部は、常時作用する建物躯体の鉛直荷重のみがベント架台で支持されているが、吊り部材が定着された柱部材が下部構造部に接合されていなく、かつ吊り部材で吊り下げ支持される全ての床スラブや柱、梁が吊り部材と連結されていないために、地震荷重に対して、上部吊り構造部を構成する柱や梁等の各構造部材がせん断抵抗することが出来なく、構造的に不安定状態である。よって、上部吊り構造部の構築過程では、地震対策として、柱梁架構内または床スラブ面ごとに、仮設ブレースを設置して耐震化を図り、構造安全性を確保する必要がある。
また、仮設ブレースが設置された上部吊り構造部は、下部構造部の上部にジャッキダウンさせる際には、仮設ブレースにより当該上部吊り構造部の鉛直剛性や水平剛性が高められていることで、ねじれ等を生じることなく精度良く設置できる。
【発明の効果】
【００１１】
本発明によれば、下部建物の上面に吊り構造部による大空間を有し、なおかつ、建物上層階では、柱や壁が小型化され、長スパン化された柱梁架構を備えた複合吊り構造物及びその構築方法を提供することができる。
【図面の簡単な説明】
【００１２】
【図１】本発明の実施形態における複合吊り構造物の縦断面図である。
【図２】複合吊り構造物を構成する上部吊り構造部の平断面図である。
【図３】複合吊り構造物の構築方法（その１、下部構造部とベント架台）の説明図である。
【図４】複合吊り構造物の構築方法（その２、下部構造部とベント架台）の説明図である。
【図５】複合吊り構造物の構築方法（その３、上部吊り構造部）の説明図である。
【図６】複合吊り構造物の構築方法（その４、水平方向仮設ブレースの設置状況）の説明図である。
【図７】複合吊り構造物の構築方法（その５、鉛直方向仮設ブレースの設置状況）の説明図である。
【図８】変形例における複合吊り構造物の縦断面図である。
【図９】変形例の複合吊り構造物における、上部吊り構造部と下部構造部の接合部の説明図である。
【図１０】従来のサスペンションを主構造とする重層式吊り構造の説明図である。
【図１１】従来の重層式吊り構造の構築方法の説明図である。
【図１２】従来の建物の施工方法の説明図である。
【発明を実施するための形態】
【００１３】
本発明は、下部建物の上部に、吊り部材で吊り下げ支持された床スラブや柱、梁で形成された上部吊り構造部が連結された複合吊り構造物と、その構築方法である。
具体的には、複合吊り構造物としては、下部建物の上部に設置された免震装置の上面に、上部吊り構造部が連結された弟１実施形態（図１、図２）と、下部建物の上部に上部吊り構造部が直接、連結された変形例（図８）がある。複合吊り構造物の構築方法としては、下部建物、及びベント架台にて、上部吊り構造部の下端部を支持させた状態で、一旦、上部吊り構造部全体を構築した後、下部建物の上部にジャッキダウンさせて、下部建物と上部吊り構造部を連結させた。
以下、本発明の実施形態について図面を参照して詳細に説明する。
【００１４】
（複合吊り構造物の構成）
図１は、本実施形態における複合吊り構造物１の縦断面図を、模式的に示したものである。
複合吊り構造物１は、下部構造部２、免震層４、及び、上部吊り構造部３を備えている。
本実施形態においては、下部構造部２は、地上一階ＦＬ１から三階ＦＬ３を構成しており、基礎５に立設された柱６と、柱６間に架設された梁７を備えている。本実施形態においては、下部構造部２は、鉄筋コンクリート壁柱と床版により構成された、鉄筋コンクリート壁式ラーメン構造として構築されている。
下部構造部２の上方には、免震装置８が設けられて、免震層４が形成されている。本実施形態においては、免震装置８は、積層ゴム支承１４と、鋼材ダンパー１５を備えている。
【００１５】
上部吊り構造部３は、下部構造部２の上部に、より詳細には、免震層４の上方に構築されている。本実施形態においては、上部吊り構造部３は、四階ＦＬ４から六階ＦＬ６を構成している。六階ＦＬ６の上は屋上階ＦＬＲとなっている。上部吊り構造部３は、柱１０と、柱１０間に架設された梁１１、及び、吊り部材１２を備えている。上部吊り構造部３は、鉄骨部材や合成スラブにより軽量に構築されている。上部吊り構造部３の最も上の梁である屋上梁１１Ｄは、他の梁１１に比べて、梁成を高くする等の手法により、高剛性に形成されている。
吊り部材１２は、全体として、高剛性の屋上梁１１Ｄから懸垂曲線状に下方に垂れ下がり湾曲するような形状を成しており、屋上梁１１Ｄに接合されて設けられている。吊り部材１２は、実際には、高張力の鋼材１２ａを長さ方向に互いに接合して形成されている。
上部吊り構造部３においては、柱１０により支持された屋上梁１１Ｄが支点となって吊り部材１２を支持し、吊り部材１２が各階層に設けられた、後に図５を用いて説明する床スラブ１３を支持することにより、吊り構造として構築されている。これにより、上部吊り構造部３においては、柱１０スパンを長くして、大空間が実現されている。
以上のように、複合吊り構造物１は、下部構造部２の上部に設けられた免震装置８の上に、上部吊り構造部３が構築されることにより、下部構造部２と上部吊り構造部３が連結された構成となっている。
【００１６】
図２に、複合吊り構造物を構成する下部構造部２と上部吊り構造部３の関係を平断面図として示す。図２は、図１のＡ−Ａ部分、すなわち、複合吊り構造物１を構成する上部吊り構造部３の、免震層４近辺における平断面図である。図２のＢ−Ｂ部分を断面視したものが、図１に相当する。図２においては、積層ゴム支承１４は黒塗りの円形で、鋼材ダンパー１５は白抜きの円形で、それぞれ示されている。
図２に示されるように、上部吊り構造部３は、第１上部構造部３Ａ、第２上部構造部３Ｂ、及び、接合部３Ｃに区画されている。第１上部構造部３Ａは、平面視における長さ方向が、紙面上下方向、すなわち、図１における奥行き方向Ｙに一致するように設けられている。第２上部構造部３Ｂは、平面視における長さ方向が、紙面左右方向、すなわち、図１、図２における左右方向Ｘに一致するように設けられている。第１上部構造部３Ａは、その幅方向の一辺が、第２上部構造部３Ｂの長さ方向の一辺に沿うように設けられており、これにより、上部吊り構造部３は平面視したときに、全体としてＬ字状に形成されている。後述するように、第１上部構造部３Ａと第２上部構造部３Ｂはそれぞれ別に構築されるが、これらの間の部分が接合部３Ｃであり、この部分においては、実際にはエキスパンション等により、第１上部構造部３Ａと第２上部構造部３Ｂが接続されている。
【００１７】
図２には、下部構造部２の平面視した場合の外形が、破線で示されている。下部構造部２は、図２における下側、すなわち、図１における紙面手前側の、２か所において、内側へと凹む第１凹部２ｃ、第２凹部２ｄを備えている。第１凹部２ｃと第２凹部２ｄの間には、これら凹部２ｃ、２ｄに対して相対的に外方へ突出している第１突出部２ａが形成されており、第１凹部２ｃの左側、すなわち第１突出部２ａとは反対の側には、第１凹部２ｃに対して相対的に外方へ突出している第２突出部２ｂが形成されている。
第２上部構造部３Ｂは、第１突出部２ａと第２突出部２ｂ上に位置するように設けられており、これら突出部２ａ、２ｂが、第２上部構造部３Ｂの鉛直荷重の一部を負担している。これにより、第１凹部２ｃに相当する部分には、第１凹部２ｃの上方を覆うように下部構造部２の外側表面から外方へ突出する第１張出部３ｃが形成されており、第２凹部２ｄに相当する部分には、第２凹部２ｄの上方を覆うように下部構造部２の外側表面から突出する第２張出部３ｄが形成されている。
【００１８】
（複合吊り構造物の構築方法）
次に、上記の図１、図２、及び、図３乃至図７を用いて、上記の複合吊り構造物１の構築方法について説明する。図３は、上部吊り構造部３の構築段階における下部構造部と、ベント架台の各側面図であり、図４（ａ）は、図３のＣ−Ｃ部分の縦断面図で、図４（ｂ）は、図４（ａ）の部分拡大平面図である。また、図５は、上部吊り構造部３の構築過程における複合吊り構造物１を構成する上部吊り構造部の側面図で、図６は、図５のＤ−Ｄ部分の平断面図で、床スラブ面に設けられた水平方向仮設ブレースの設置状況図であり、図７は、図６のＥ−Ｅ部分の縦断面図で、柱梁架構内に設けられた鉛直方向仮設ブレースの設置状況図である。
本実施形態における複合吊り構造物１の構築方法においては、下部構造部２を構築した後、下部構造部２の上部に、吊り部材１２により後述する床スラブ１３（図５参照）が支持された上部吊り構造部３をジャッキダウンさせた後、下部構造部２と上部吊り構造部３を連結させて、複合吊り構造物１を構築する。また、上部吊り構造部３は、図５に示すように、後述するベント架台２１、２２（図３乃至図５参照）で上部吊り構造部３の下端部３ａを仮受けした状態で、柱梁架構内または床スラブ面に後述する仮設ブレース３０、３１（図６、図７参照）を設置しながら構築する。
以下、本実施形態における複合吊り構造物１の構築方法を詳細に説明する。
【００１９】
（下部構造部２の柱梁架構の構築とベント架台２１、２２の設置）
まず、下部構造部２の柱梁架構を構築した後、図３、図４に示されるように、柱梁架構の周囲、または、柱梁架構の内部に、上部吊り構造部３を支持するためのベント架台２１、２２を設置する。ベント架台２１、２２は、第１ベント架台２１と、第２ベント架台２２を備えている。図２においては、上部吊り構造部３の対応する場所に、第１及び第２ベント架台２１、２２が矩形で示されている。特に第２ベント架台２２は、第１ベント架台２１より横方向に細長く示されている。
【００２０】
図３においては、下部構造部２の紙面左側に、図２を用いて説明した、柱梁架構として第２突出部２ｂが構築されており、紙面中央右寄りに、鉄筋コンクリート壁として構築された第１突出部２ａが構築されている。第２突出部２ｂと第１突出部２ａの間、及び、第１突出部２ａの右側は、図３における奥行き方向Ｙに向けて凹む第１凹部２ｃ、第２凹部２ｄが形成されている。これら第１及び第２凹部２ｃ、２ｄの上方には、後の工程により、図５に示されるように、上部吊り構造部３の第１及び第２張出部３ｃ、３ｄが構築される。第１ベント架台２１は、このような、下部構造部２の各凹部２ｃ、２ｄに、後に構築される上部吊り構造部３の各張出部３ｃ、３ｄを下方から支持するように設けられる。
上記のように、第１ベント架台２１の設けられる場所は、下部構造部２の各凹部２ｃ、２ｄであり、下部構造部２の柱梁架構が構築されておらず、広い空間となっているため、第１ベント架台２１として、設置面積が大きな、例えば、広い作業床を内蔵したもの等を使用可能である。
【００２１】
第２ベント架台２２は、図２に示されるように、上部吊り構造部３の張出部３ｃ、３ｄ以外の場所を下方から支持するように設けられている。すなわち、第２ベント架台２２は、下部構造部２の柱梁架構内に、柱６、梁７やその他の構造物等の間隙に設ける必要があるため、例えば、第１ベント架台２１よりも設置面積が小さいものを使用する。
本実施形態においては、各第２ベント架台２２は、図４（ｂ）に示されるように、２つのベント架台２２Ａ、２２Ｂが対になったものであり、一方のベント架台２２Ａが梁７の片側に、他方のベント架台２２Ｂが梁７の反対側に、それぞれ設けられて、梁７の両側から後に構築される上部吊り構造部３を支持する。
【００２２】
図３、図４（ａ）に示されるように、第１及び第２ベント架台２１、２２の各々は、地盤ＧＬに埋設されたベント基礎２１ｃ、２２ｃ上に立設されており、上側にジャッキ部２１ａ、２２ａを備えている。本実施形態においては、ジャッキ部２１ａ、２２ａは、油圧ジャッキである。
第１及び第２ベント架台２１、２２の各々のジャッキ部２１ａ、２２ａの先端２１ｂ、２２ｂは、免震装置８よりも高く位置するように調整されて設けられる。これにより、後に構築される上部吊り構造部３の下端部３ａ（図５参照）は、下部構造部２及び免震装置８よりも上方の位置に構築される。
【００２３】
（上部吊り構造部３の構築）
下部構造部２の柱梁架構を構築し、第１及び第２ベント架台２１、２２を設置した後に、各ベント架台２１、２２上に、図５に示されるように、上部吊り構造部３を構築する。
本実施形態においては、上部吊り構造部３は、図２に示される、第１上部構造部３Ａと第２上部構造部３Ｂに分けて、順次、あるいは並行して、構築する。
まず、上部吊り構造部３の最も下の梁１１Ａを含む、上部吊り構造部３の最下層、すなわち、四階ＦＬ４の柱梁架構を構築する。また、吊り部材１２のなかで四階ＦＬ４に設けられる鋼材１２ａも、四階ＦＬ４の柱梁架構に取付ける。
このとき、図７に示されるように、四階ＦＬ４の柱梁架構内を鉛直斜め方向に延在して、柱１０と梁１１の接合部間を接続するように、鉛直方向仮設ブレース３１を配設する。鉛直方向仮設ブレース３１は、鉄骨建て方時の安定性を確保するために設けられている。このため、鉛直方向仮設ブレース３１は、四階ＦＬ４、五階ＦＬ５、及び、六階ＦＬ６の、上部吊り構造部３の全ての階層の荷重負担を基に、形状や本数、設置個所が決定されている。
更に、四階床梁１１Ａの上にデッキプレートを敷いた後にコンクリートを打設、養生して、四階床スラブ１３Ａを構築する。
【００２４】
次に、五階ＦＬ５の柱梁架構を構築し、五階床梁１１Ｂの上にデッキプレートを敷く。このとき、吊り部材１２のなかで五階ＦＬ５に設けられる鋼材１２ａを、五階ＦＬ５の柱梁架構に取付ける。更に、後に五階床スラブ１３Ｂが構築される平面と略平行な、該平面の近傍の面内に、すなわち、五階床スラブ１３Ｂ面内に、図６に示されるように、図５における奥行き方向Ｙと、それに水平面内で直交する左右方向Ｘの各々に延在する五階床梁１１Ｂの接合部間を、斜めに延在して接続するように、水平方向仮設ブレース３０を配設する。
後に説明するように、上部吊り構造部３の柱梁架構の構築が終了した後に、五階床梁１１Ｂに敷かれたデッキプレート上にコンクリートを打設して五階床スラブ１３Ｂを構築する。このコンクリートが硬化して、所定の強度が発現するまでの間、上部吊り構造部３の剛性及び構造安全性を確保するために、水平方向仮設ブレース３０は設けられている。このため、水平方向仮設ブレース３０は、五階ＦＬ５の一階層分の荷重負担を基に、形状や本数、設置個所が決定されている。
また、四階ＦＬ４と同様に、五階ＦＬ５においても、図７に示されるように鉛直方向仮設ブレース３１を配設する。
【００２５】
六階ＦＬ６は、五階ＦＬ５と同様に構築する。すなわち、六階ＦＬ６の柱梁架構を構築し、六階床梁１１Ｃの上にデッキプレートを敷き、吊り部材１２のなかで六階ＦＬ６に設けられる鋼材１２ａを、六階ＦＬ６の柱梁架構に取付け、後に構築される六階床スラブ１３Ｃ面内の、六階床梁１１Ｃ間に水平方向仮設ブレース３０を配設し、六階ＦＬ６に位置する柱１０間に鉛直方向仮設ブレース３１を配設する。
更に、上部吊り構造部３の最も上の梁である屋上梁１１Ｄに、デッキプレートを敷き、屋上スラブ１３Ｄ面内の、屋上梁１１Ｄ間に水平方向仮設ブレース３０を配設する。
その後、必要に応じて、吊り部材１２の鋼材１２ａ間の目違いを調整し、鋼材１２ａ間を互いに溶接して接合する。
これにより、上部吊り構造部３の柱梁架構が構築される。
【００２６】
その後、屋上階ＦＬＲ、五階ＦＬ５、六階ＦＬ６の順に、各階に敷かれたデッキプレート上にコンクリートを打設、養生して、屋上スラブ１３Ｄ、五階床スラブ１３Ｂ、六階床スラブ１３Ｃを構築する。
屋上スラブ１３Ｄのコンクリートが所定の強度を発現した後に、屋上梁１１Ｄに設けられた水平方向仮設ブレース３０を解体、撤去する。五階床スラブ１３Ｂのコンクリートが所定の強度を発現した後に、五階床梁１１Ｂに設けられた水平方向仮設ブレース３０を解体、撤去する。また、六階床スラブ１３Ｃも、屋上スラブ１３Ｄや五階床スラブ１３Ｂと同様、コンクリートが必要強度に達した後に、六階床梁１１Ｃに設けられた水平方向仮設ブレース３０を解体、撤去する。
また、屋上スラブ１３Ｄ、五階床スラブ１３Ｂ、及び、六階床スラブ１３Ｃの全てのコンクリートが所定の強度に達した後に、鉛直方向仮設ブレース３１を撤去する。
【００２７】
上記のように構築された上部吊り構造部３は、構築直後の時点においては、下方からベント架台２１、２２によって支持されている。次に説明する工程において、各ベント架台２１、２２に設けられたジャッキ部２１ａ、２２ａによりジャッキダウンを行い、上部吊り構造部３を下降させて、上部吊り構造部３を免震装置８の上に載置し、ベント架台２１、２２を撤去する。すなわち、上部吊り構造部３を支持する部分が、ベント架台２１、２２によって支持されていた位置から免震装置８によって支持される位置へと変わることで、荷重が架け替えられる。
ここで、上部吊り構造部３の構築時にベント架台２１、２２によって支持されていた部分においては、ベント架台２１、２２が撤去されるために、上部吊り構造部３の荷重により、下方にしなるように変形する。この変形を抑制し、ベント架台２１、２２撤去後の上部吊り構造部３の梁１１が水平に近い状態とするため、ベント架台２１、２２によって支持される部分においては、上部吊り構造部３の梁１１には、ベント架台２１、２２の反力、すなわち、上部吊り構造部３の当該部分に対して作用する荷重を基に、上方に凸となるようにムクリがつけられている。
【００２８】
（上部吊り構造部３のジャッキダウン）
上部吊り構造部３を構築した後、すなわち、水平方向仮設ブレース３０、鉛直方向仮設ブレース３１を撤去して架設の拘束構造を解放し、屋上スラブ１３Ｄ、五階床スラブ１３Ｂ、及び、六階床スラブ１３Ｃの全てのコンクリートが所定の強度に達した後に、各ベント架台２１、２２のジャッキ部２１ａ、２２ａにより、上部吊り構造部３をジャッキダウンする。
ジャッキダウンは、本実施形態においては、第１上部構造部３Ａと第２上部構造部３Ｂの各構造部に対して、必要に応じて時間を置いて、別々に行う。
ジャッキダウンによって、上部吊り構造部３を支持する部分が、ベント架台２１、２２の位置から免震装置８の位置へと変わるため、免震装置８に上部吊り構造部３の荷重が作用する。これにより、免震装置８が水平位置から傾いて、複合吊り構造物１の施工終了後に免震装置８が十分に機能しなくなる場合がある。このため、下部構造部２の最上梁７Ａの下に設けられた図示されないジャッキによって、最上梁７Ａの傾きの調整を行い、免震装置８の角度が許容範囲となるように、具体的には、例えば、免震装置８の最終勾配が１／３００以内となるように、調整する。
ジャッキダウンの後には、上部吊り構造部３の四階床梁１１Ａを免震装置８に接合し、第１上部構造部３Ａと第２上部構造部３Ｂを接合する接合部３Ｃを構築した後、ベント架台２１、２２を撤去する。
【００２９】
次に、上記の複合吊り構造物１及びその構築方法の効果について説明する。
上記のような複合吊り構造物１によれば、複合吊り構造物１は、下部構造部２の上部に、吊り構造による上部吊り構造部３が設けられることで、建物下層階の躯体構造に影響を受けることなく、建物上層階に、大空間居室が実現できる。また、建物上層階を、上部吊り構造部３とすることで、建物上層階の柱や梁が建物下層階の躯体構造上に連結されるのではなく、上部吊り構造部３を構成する吊り部材１２によって吊り下げ支持されるために、上部吊り構造部３を構成する柱１０や梁１１、壁に作用する地震荷重が小さくなることで、其々の部材を小型化でき、柱梁架構の長スパン化が可能となる。
また、上部吊り構造部３に設けられた吊り部材１２で吊り下げ支持される建物階数は、上部吊り構造部３の最下層階ＦＬ４から最上階ＦＬ６までであり、地上１階ＦＬ１から上部吊り構造部３の最上階ＦＬ６まで吊り部材１２で吊り上げ支持する場合に比べて、吊り部材１２で吊り下げ支持する建物重量は小さいために、吊り部材１２を定着される柱部材を小径化できる。
上記のように、下部建物（下部構造部２）の上部に上部吊り構造部３を設ける複合吊り構造物１では、吊り部材１２で吊り下げ支持する階数が建物中間階以上に限定されるために、柱や壁が小型化され、かつ長スパン化された柱梁架構を備えた複合吊り構造物１が実現できる。
【００３０】
また、上記のような複合吊り構造物１によれば、下部構造部２の上部に設けられた免震装置８の上に、上部吊り構造部３が構築されているため、上部吊り構造部３に作用する地震力を抑制することができる。よって、上部吊り構造部３を構成する柱１０、梁１１等の各構造部材を小径化できるために、眺望に優れた使い勝手の良い大空間を確保できる。
また、上記のような複合吊り構造物１の構築方法によれば、下部構造部２を構築した後、下部構造部２の上側に、一旦、全て吊り部材１２により床スラブ１３が支持された上部吊り構造部３を構築した後、当該上部吊り構造部３をジャッキダウンさせて、下部構造部２と上部吊り構造部３を連結することで、構築段階にて構造安全性を高めた上部吊り構造部３と下部構造部２を精度良く連結されることができる。
また、施工中の上部吊り構造部３においては、常時作用する建物躯体の鉛直荷重のみがベント架台２１、２２で支持されているが、吊り部材１２が定着された柱１０部材が下部構造部２に接合されていなく、かつ吊り部材１２で吊り下げ支持される全ての床スラブ１３や柱１０、梁１１が吊り部材１２と連結されていないために、地震荷重に対して、上部吊り構造部３を構成する柱１０や梁１１等の各構造部材がせん断抵抗することが出来なく、構造的に不安定状態である。よって、上部吊り構造部３の構築過程では、地震対策として、柱梁架構内または床スラブ１３面ごとに、仮設ブレース３０、３１を設置することにより耐震化を図り、構造安全性が確保される。
また、仮設ブレース３０、３１が設置された上部吊り構造部３は、下部構造部２の上部にジャッキダウンさせる際には、仮設ブレース３０、３１により当該上部吊り構造部３の鉛直剛性や水平剛性が高められていることで、ねじれ等を生じることなく精度良く設置できる。
【００３１】
また、上記のような方法によれば、上部吊り構造部３の他の階層、すなわち、五階ＦＬ５、六階ＦＬ６、屋上階ＦＬＲに先じて、四階ＦＬ４の床スラブ１３Ａを構築するため、上部吊り構造部３の最下層となる四階床スラブ１３Ａの剛性を確保し、上部吊り構造部３の構築における精度を高めることができる。また、四階床スラブ１３Ａを上部吊り構造部３の構築における作業床として使用することが可能となり、作業性が向上する。更に、上部吊り構造部３の構築時の安全性を高めることができる。
【００３２】
また、上記のような方法によれば、ベント架台２１、２２によって支持される部分における上部吊り構造部３の梁１１には、上部吊り構造部３の当該部分に対して作用する荷重を基に、上方に凸となるようにムクリがつけられているため、ベント架台２１、２２撤去後の上部吊り構造部３の梁１１が水平に近い状態とすることができる。
【００３３】
また、上記のような方法によれば、上部吊り構造部３のジャッキダウンを、第１上部構造部３Ａと第２上部構造部３Ｂの各構造部に対して、別々に行うため、ジャッキダウンを含めた上部吊り構造部３全体の施工計画を、各構造部３Ａ、３Ｂの施工進捗にあわせて調整することができる。これにより、柔軟な施工管理が可能となる。
また、上記のような方法によれば、上部吊り構造部３のジャッキダウン後に、下部構造部２の最上梁７Ａの傾きの調整を行い、免震装置８の角度が許容範囲となるように調整するため、上部吊り構造部３の荷重がベント架台２１、２２から免震装置８に架け替えられた後においても、免震装置８が十分に機能するように、複合吊り構造物１を構築することが可能である。
【００３４】
（実施形態の変形例）
次に、上記実施形態として示した複合吊り構造物１及びその構築方法の変形例を説明する。図８は、本変形例における複合吊り構造物４０の縦断面図を、模式的に示したものである。本変形例の複合吊り構造物４０においては、上記実施形態における複合吊り構造物１とは、上部吊り構造部３は、下部構造部２の直上に、免震装置を介さずに、構築されている点が異なっている。
図９は、図８のＦ矢視部分の拡大断面図である。下部構造部２と上部吊り構造部３は、其々の柱６、１０部材同士を連結して一体化されるものであり、其々の柱６、１０部材内の柱主筋６ａ、１０ａ同士が機械式継ぎ手４１を介して連結され、接合されている。
本変形例が、上記実施形態と同様の効果を奏することはいうまでもない。
【００３５】
（実施形態の他の変形例）
なお、本発明の複合吊り構造物及びその構築方法は、図面を参照して説明した上述の実施形態及び変形例に限定されるものではなく、その技術的範囲において他の様々な変形例が考えられる。
例えば、上記実施形態においては、上部吊り構造部３は平面視したときに、全体としてＬ字状に形成されていたが、これに限られず、矩形状であってもよいし、より複雑な他の形状を成していても構わない。
また、上記実施形態においては、上部吊り構造部３には、下部構造部２の外形から外側に張出す張出部３ｃ、３ｄが、部分的に設けられていたが、これに限られず、上部吊り構造部３には張出部３ｃ、３ｄが設けられていなくてもよいし、上部吊り構造部３の外形形状が下部構造部２の外形形状を含むように、すなわち、上部吊り構造部３の全周にわたって、下部構造部２から張出すように、上部吊り構造部３が構築されても構わない。
また、上記実施形態においては、下部構造部２と上部吊り構造部３の階層は、共に３階層であったが、それぞれ、より少ない階層であってもよいし、より多い階層を備えていても構わない。
【００３６】
また、上記実施形態においては、免震装置８は、積層ゴム支承１４と鋼材ダンパー１５であったが、これに限られず、弾性すべり支承等の他の免震支承や、オイルダンパー等の他のダンパーを用いても構わない。
また、上記実施形態においては、ジャッキ部２１ａ、２２ａは油圧ジャッキであったが、これに限られず、例えば、部分的にボルトジャッキ等の他のジャッキを使用しても構わない。
また、上記実施形態においては、床スラブ１３面内に水平方向仮設ブレース３０が配設され、なおかつ、柱梁架構内を鉛直斜め方向に延在するように鉛直方向仮設ブレース３１が配設されていたが、これに限られず、例えば、上部吊り構造部３の施工中に、水平方向仮設ブレース３０と鉛直方向仮設ブレース３１のいずれか一方のみを配設するようにしてもよい。
これ以外にも、本発明の主旨を逸脱しない限り、上記実施形態及び変形例で挙げた構成を取捨選択したり、他の構成に適宜変更したりすることが可能である。
【符号の説明】
【００３７】
１      複合吊り構造物            １２    吊り部材
２      下部構造部                １３    床スラブ
３      上部吊り構造部            １４    積層ゴム支承
３ａ    下端部                    １５    鋼材ダンパー
４      免震層                    ２１    第１ベント架台（ベント架台）
６      （下部構造部の）柱        ２２    第２ベント架台（ベント架台）
７      （下部構造部の）梁        ３０    水平方向仮設ブレース（仮設ブレース）
８      免震装置                  ３１    鉛直方向仮設ブレース（仮設ブレース）
１０    （上部吊り構造部の）柱    ４０    複合吊り構造物
１１    （上部吊り構造部の）梁    
【図１】
2018123468.tif 000003
【図２】
2018123468.tif 000004
【図３】
2018123468.tif 000005
【図４】
2018123468.tif 000006
【図５】
2018123468.tif 000007
【図６】
2018123468.tif 000008
【図７】
2018123468.tif 000009
【図８】
2018123468.tif 000010
【図９】
2018123468.tif 000011
【図１０】
2018123468.tif 000012
【図１１】
2018123468.tif 000013
【図１２】
2018123468.tif 000014